(57)【特許請求の範囲】
【請求項１】
被検体の撮影領域へ放射線を照射し、前記被検体の撮影領域を透過した前記放射線を検出する本スキャンを本スキャン条件に基づいて実施することによって、前記被検体の撮影領域についての本スキャン画像を生成する放射線撮影装置であって、
前記被検体の撮影領域において、胸部における乳腺、頭部における水晶体、及び首部における甲状腺の少なくとも一つからなる特定スキャン領域を設定する特定スキャン領域設定部と、
ヘリカルスキャン方式で前記特定スキャン領域を含む領域の前記本スキャンを実施するための本スキャン条件として、前記特定スキャン領域をスキャンする際に前記被検体の前記特定スキャン領域が存在する側の反対側から放射線が照射されるようなヘリカルスキャンの軌跡となるように、前記本スキャン条件を設定する本スキャン条件設定部と
を有する放射線撮影装置。
【請求項２】
前記本スキャン条件設定部は、ヘリカルスキャン方式で前記特定スキャン領域を含む領域の前記本スキャンを実施するための本スキャン条件として、前記被検体の前記特定スキャン領域と前記放射線を照射する照射線管との距離が最も大きくなる角度の照射位置から前記放射線が照射されるようなヘリカルスキャンの軌跡となるように、前記本スキャン条件を設定するものである
請求項１に記載の放射線撮影装置。
【請求項３】
前記本スキャン条件設定部は、スキャン開始位置、スキャン終了位置、スキャンピッチ、Ｘ線ビーム幅、管電流値、スライス厚などに対応するように装置を動作させる本スキャン条件を設定するものである
請求項１または請求項２に記載の放射線撮影装置。
【請求項４】
前記本スキャン条件設定部は、前記本スキャン条件として、前記被検体の前記特定スキャン領域が存在する側の反対側から放射線が照射されるようなヘリカルスキャンの軌跡となるように、前記ヘリカルスキャン方式の前記本スキャンを開始する開始位置を算出し設定する
請求項３に記載の放射線撮影装置。
【請求項５】
前記被検体の撮影領域についてのスカウト画像を表示する表示部と、
前記被検体の撮影領域においてオペレータにより選択された前記特定スキャン領域の位置を入力する領域位置入力部と
を有し、
前記領域位置入力部は、前記表示部により表示された前記スカウト画像においてオペレータが選択した画素の位置に基づいて、前記特定スキャン領域の位置を入力し、
前記特定スキャン領域設定部は、前記領域位置入力部により入力される前記特定スキャン領域の位置に基づいて、前記特定スキャン領域を設定する
請求項１から４のいずれかに記載の放射線撮影装置。
【請求項６】
前記領域位置入力部により入力された前記特定スキャン領域の位置に基づいて、前記スカウト画像に前記特定スキャン領域を示す領域画像を生成する領域画像生成部
を有し、
前記表示部は、前記領域画像生成部により生成された前記領域画像を、前記スカウト画像に対応するように表示する
請求項５に記載の放射線撮影装置。
【請求項７】
前記被検体についての被検体情報を入力する被検体情報入力部と、
前記被検体情報入力部により入力された前記被検体情報に基づいて、前記特定スキャン領域の位置を選択し前記領域位置入力部に入力する旨を、オペレータに報知する報知部と
を有する
請求項５または６に記載の放射線撮影装置。
【請求項８】
本スキャン条件設定部は、前記被検体情報入力部により入力された前記被検体情報に基づいて、前記本スキャン条件を設定する
請求項７に記載の放射線撮影装置。
【請求項９】
被検体の撮影領域へ放射線を照射し、前記被検体の撮影領域を透過した前記放射線を検出する本スキャンについての本スキャン条件を設定するスキャン条件設定装置であって、
前記被検体の撮影領域において、胸部における乳腺、頭部における水晶体、及び首部における甲状腺の少なくとも一つからなる特定スキャン領域を設定する特定スキャン領域設定部と、
ヘリカルスキャン方式で前記特定スキャン領域を含む領域の前記本スキャンを実施するための本スキャン条件として、前記特定スキャン領域をスキャンする際に前記被検体の前記特定スキャン領域が存在する側の反対側から放射線が照射されるようなヘリカルスキャンの軌跡となるように、前記本スキャン条件を設定する本スキャン条件設定部と
を有するスキャン条件設定装置。
【発明の詳細な説明】
【技術分野】
【０００１】
本発明は、放射線撮影装置およびスキャン条件設定装置に関し、特に、被検体の撮影領域へ放射線を照射し、その被検体の撮影領域を透過した放射線を検出する本スキャンを実施することによって、被検体の撮影領域についての本スキャン画像を生成する放射線撮影装置および、その本スキャンについての本スキャン条件を設定するスキャン条件設定装置に関する。
【背景技術】
【０００２】
Ｘ線ＣＴ（Ｃｏｍｐｕｔｅｄ  Ｔｏｍｏｇｒａｐｈｙ）装置などの放射線撮影装置は、Ｘ線などの放射線で被検体をスキャンし、そのスキャンによって得られる投影データに基づいて、被検体のスライス面についての断層画像を生成する。このような放射線撮影装置は、医療用途や産業用途などの広範な用途で利用されている。
【０００３】
Ｘ線ＣＴ装置においては、断層画像を生成するための本スキャンを実施する前に、本スキャン条件を設定するために、スカウトスキャンを実施して、被検体の透視画像であるスカウト画像を生成する。
【０００４】
この後、スカウトスキャンにより生成されたスカウト画像をオペレータが参照して、本スキャンを実施するためのスキャンパラメータを入力する。そして、断層画像が生成されるスライス面に対応するスライス位置や、スキャン方式などのスキャン条件を設定する。そして、その設定された本スキャン条件に基づいて本スキャンを実施し、被検体のスライス面についての断層画像を生成する（たとえば、特許文献１，特許文献２参照）。
【０００５】
【特許文献１】特開２００５−５８６５１号公報
【特許文献２】特開平８−２８９８８７号公報
【発明の開示】
【発明が解決しようとする課題】
【０００６】
ところで、女性の被検体の胸部を含む撮影領域について、ヘリカルスキャン方式で本スキャンを実施する場合においては、放射線感受性が高い乳腺への被曝線量を減少させてＸ線を効率的に利用するために、Ｘ線を遮るシールド材を被検体の胸部に配置している。
【０００７】
しかしながら、このような場合においては、シールド材によってＸ線が吸収されるために、本スキャンによって生成される断層画像において、画像品質が低下する場合があった。このため、Ｘ線などの放射線を効率的に利用することと、画像品質を向上させることとの両者を両立することが困難な場合があった。また、この他に、被検体の頭部における水晶体や、被検体の首部における甲状腺などのように、被検体の体表面付近に放射線感受性が高い部位がある場合についても、同様な不具合があった。
【０００８】
したがって、本発明の目的は、放射線を効率的に利用可能であって画像品質を向上することができる放射線撮影装置およびスキャン条件設定装置を提供することにある。
【課題を解決するための手段】
【０００９】
上記目的を達成するため、本発明の放射線撮影装置は、被検体の撮影領域へ放射線を照射し、前記被検体の撮影領域を透過した前記放射線を検出する本スキャンを本スキャン条件に基づいて実施することによって、前記被検体の撮影領域についての本スキャン画像を生成する放射線撮影装置であって、前記被検体の撮影領域において、被曝線量が小さい特定のスキャン条件でスキャンを実施させる特定スキャン領域を設定する特定スキャン領域設定部と、前記特定スキャン領域設定部により設定された前記特定スキャン領域を前記特定のスキャン条件でスキャンするように、前記本スキャン条件を設定する本スキャン条件設定部とを有する。
【００１０】
上記目的を達成するため、本発明のスキャン条件設定装置は、被検体の撮影領域へ放射線を照射し、前記被検体の撮影領域を透過した前記放射線を検出する本スキャンについての本スキャン条件を設定するスキャン条件設定装置であって、前記被検体の撮影領域において、被曝線量が小さい特定のスキャン条件でスキャンを実施させる特定スキャン領域を設定する特定スキャン領域設定部と、前記特定スキャン領域設定部により設定された前記特定スキャン領域を前記特定のスキャン条件でスキャンするように、前記本スキャン条件を設定する本スキャン条件設定部とを有する。
【発明の効果】
【００１１】
本発明によれば、放射線を効率的に利用可能であって画像品質を向上することができる放射線撮影装置およびスキャン条件設定装置を提供することができる。
【発明を実施するための最良の形態】
【００１２】
本発明にかかる実施形態について説明する。
【００１３】
＜実施形態１＞
図１は、本発明にかかる実施形態１のＸ線ＣＴ装置１についての全体構成を示すブロック図であり、図２は、本実施形態のＸ線ＣＴ装置１における要部を示す構成図である。
【００１４】
図１に示すように、Ｘ線ＣＴ装置１は、走査ガントリ２と、操作コンソール３と、被検体搬送部４とを有し、被検体をＸ線でスキャンすることにより得られた被検体の投影データを用いて、被検体についての画像を生成する。
【００１５】
走査ガントリ２について説明する。
【００１６】
走査ガントリ２は、操作コンソール３からの制御信号ＣＴＬ３０ａに基づいて、被検体搬送部４によって撮影空間２９に移動された被検体をＸ線でスキャンして、その被検体の投影データを得る。走査ガントリ２は、図１に示すように、Ｘ線管２０とＸ線管移動部２１とコリメータ２２とＸ線検出器２３とデータ収集部２４とＸ線コントローラ２５とコリメータコントローラ２６と回転部２７とガントリコントローラ２８とを有する。走査ガントリ２においては、図２に示すように、被検体が搬入される撮影空間２９を挟むように、Ｘ線管２０とＸ線検出器２３とが配置されている。そして、コリメータ２２が、Ｘ線管２０から撮影空間２９の被検体へ照射されるＸ線を成形するように配置されている。そして、走査ガントリ２は、被検体の体軸方向ｚを中心にして、Ｘ線管２０とコリメータ２２とＸ線検出器２３とを被検体の周囲で旋回させる。これにより、被検体の周囲における複数のビュー方向からＸ線管２０がＸ線を照射し、Ｘ線管２０から被検体を透過するＸ線をＸ線検出器２３が検出して投影データを生成する。走査ガントリ２の各部について、順次、説明する。
【００１７】
Ｘ線管２０は、たとえば、回転陽極型であり、Ｘ線を被検体に照射する。Ｘ線管２０は、図２に示すように、Ｘ線コントローラ２５からの制御信号ＣＴＬ２５１に基づいて、所定強度のＸ線を被検体の撮影領域にコリメータ２２を介して照射する。Ｘ線管２０から放射されたＸ線は、コリメータ２２によって、たとえば、コーン状に成形されて被検体に照射され、Ｘ線検出器２３によって検出される。そして、Ｘ線管２０は、被検体の周囲のビュー方向からＸ線を被検体に照射するために、被検体の体軸方向ｚを中心に回転部２７によって被検体の周囲を回転移動する。つまり、Ｘ線管２０は、被検体搬送部４が被検体を撮影空間２９に移動する方向に沿った軸を中心にして、被検体の周囲を旋回する。
【００１８】
Ｘ線管移動部２１は、図２に示すように、Ｘ線コントローラ２５からの制御信号ＣＴＬ２５２に基づいて、Ｘ線管２０の放射中心を、走査ガントリ２における撮影空間２９内の被検体の体軸方向ｚに移動させる。
【００１９】
コリメータ２２は、図２に示すように、Ｘ線管２０とＸ線検出器２３との間に配置されている。コリメータ２２は、たとえば、Ｘ線を透過させない遮蔽板を含み、チャネル方向ｉと列方向ｊとにそれぞれ２枚ずつ、その遮蔽板が設けられている。コリメータ２２は、コリメータコントローラ２６からの制御信号ＣＴＬ２６１に基づいて、各方向に設けられた遮蔽板を独立して移動させて、Ｘ線管２０から照射されたＸ線をそれぞれの方向において遮ってコーン状に成形することにより、Ｘ線の照射範囲を調整する。つまり、コリメータ２２は、Ｘ線管２０から照射されたＸ線が通過する開口の大きさを可変することにより、Ｘ線の照射範囲を調整する。
【００２０】
Ｘ線検出器２３は、Ｘ線管２０から照射され被検体を透過するＸ線を検出し、被検体の投影データを生成する。Ｘ線検出器２３は、Ｘ線管２０と共に、回転部２７によって被検体の周囲を回転する。そして、被検体の周囲からＸ線管２０により照射され、被検体を透過したＸ線を検出して投影データを生成する。
【００２１】
図２に示すように、Ｘ線検出器２３は、複数の検出素子２３ａからなる。Ｘ線検出器２３は、たとえば、被検体の体軸方向ｚを中心にＸ線管２０が撮影空間２９の被検体の周囲を回転部２７により回転する回転方向に沿ったチャネル方向ｉと、Ｘ線管２０が回転部２７によって回転する際に中心軸となる回転軸方向に沿った列方向ｊとに、検出素子２３ａがアレイ状に２次元的に配列されている。たとえば、Ｘ線検出器２３は、検出素子２３ａがチャネル方向ｉに１０００個程度配列され、列方向ｊに３２から６４個程度配列されている。また、Ｘ線検出器２３は、２次元的に配列された複数の検出素子２３ａによって、円筒な凹面状に湾曲した面を形成している。
【００２２】
Ｘ線検出器２３を構成する検出素子２３ａは、たとえば、固体検出器として構成されており、Ｘ線を光に変換するシンチレータ（図示なし）と、シンチレータが変換した光を電荷に変換するフォトダイオード（図示なし）とを有する。なお、検出素子２３ａは、これに限定されるものではなく、たとえば、カドミウム・テルル（ＣｄＴｅ）等を利用した半導体検出素子、あるいはキセノン（Ｘｅ）ガスを利用した電離箱型の検出素子であって良い。
【００２３】
データ収集部２４は、Ｘ線検出器２３からの投影データを収集するために設けられている。データ収集部２４は、Ｘ線検出器２３のそれぞれの検出素子２３ａが検出したＸ線による投影データを収集して、操作コンソール３に出力する。図２に示すように、データ収集部２４は、選択・加算切換回路（ＭＵＸ，ＡＤＤ）２４１とアナログ−デジタル変換器（ＡＤＣ）２４２とを有する。選択・加算切換回路２４１は、Ｘ線検出器２３の検出素子２３ａによる投影データを、中央処理装置３０からの制御信号ＣＴＬ３０３に応じて選択し、あるいは組み合わせを変えて足し合わせ、その結果をアナログ−デジタル変換器２４２に出力する。アナログ−デジタル変換器２４２は、選択・加算切換回路２４１において選択あるいは任意の組み合わせで足し合わされた投影データをアナログ信号からデジタル信号に変換して中央処理装置３０に出力する。
【００２４】
Ｘ線コントローラ２５は、図２に示すように、中央処理装置３０からの制御信号ＣＴＬ３０１に応じて、Ｘ線管２０に制御信号ＣＴＬ２５１を出力し、Ｘ線の照射を制御する。Ｘ線コントローラ２５は、たとえば、Ｘ線管２０の管電流や照射時間などを制御する。また、Ｘ線コントローラ２５は、中央処理装置３０による制御信号ＣＴＬ３０１に応じて、Ｘ線管移動部２２１に対し制御信号ＣＴＬ２５２を出力し、Ｘ線管２０の放射中心を体軸方向ｚに移動するように制御する。
【００２５】
コリメータコントローラ２６は、図２に示すように、中央処理装置３０からの制御信号ＣＴＬ３０２に応じてコリメータ２２に制御信号ＣＴＬ２６１を出力し、Ｘ線管２０から被検体へ照射されたＸ線を成形するように、コリメータ２２を制御する。
【００２６】
回転部２７は、図１に示すように、円筒形状であり、中心部分に撮影空間２９が形成されている。回転部２７は、ガントリコントローラ２８からの制御信号ＣＴＬ２８に応じて、たとえば、モーター（図示なし）を駆動し、撮影空間２９内における被検体の体軸方向ｚを中心にして回転する。回転部２７は、Ｘ線管２０とＸ線管移動部２１とコリメータ２２とＸ線検出器２３とデータ収集部２４とＸ線コントローラ２５とコリメータコントローラ２６とが搭載されており、各部を支持している。そして、回転部２７は、スリップリング（図示なし）を介して、各部に電力を供給する。また、回転部２７は、各部を被検体の周囲に回転移動させ、撮影空間２９に搬入される被検体と各部との位置関係を回転方向にて相対的に変化させる。
【００２７】
ここでは、被検体についてスカウトスキャンを実施する際には、回転部２７は、後述するスキャン条件設定部３０２により設定されたスカウトスキャン条件に基づいて、撮影空間２９に収容された被検体の周囲における所定のビュー角度にＸ線管２０とＸ線検出器２３とを固定する。そして、その固定された位置において、Ｘ線管２０にＸ線を照射させ、その被検体を透過したＸ線をＸ線検出器２３に検出させる。一方で、被検体についてヘリカルスキャン方式またはアキシャルスキャン方式で本スキャンを実施する際には、回転部２７は、スキャン条件設定部３０２により設定された本スキャン条件に基づいて、撮影空間２９に収容された被検体の周囲においてＸ線管２０とＸ線検出器２３とを回転させる。そして、Ｘ線管２０とＸ線検出器２３とを回転させながら、Ｘ線管２０にＸ線を照射させ、その被検体を透過したＸ線を複数のビュー角度ごとにＸ線検出器２３に検出させる。
【００２８】
ガントリコントローラ２８は、図１および図２に示すように、操作コンソール３の中央処理装置３０による制御信号ＣＴＬ３０４に基づいて、回転部２７に制御信号ＣＴＬ２８を出力し、回転部２７が回転するように制御する。
【００２９】
操作コンソール３について説明する。
【００３０】
操作コンソール３は、図１に示すように、中央処理装置３０と、入力装置４１と、表示装置５１と、記憶装置６１とを有する。各部について、順次、説明する。
【００３１】
操作コンソール３における中央処理装置３０は、オペレータにより入力装置４１に入力される指令に基づいて、種々の処理を実施する。中央処理装置３０は、コンピュータと、このコンピュータを種々の手段として機能させるプログラムとを含む。
【００３２】
図３は、中央処理装置３０の構成を示すブロック図である。
【００３３】
中央処理装置３０は、図３に示すように、制御部３０１と、スキャン条件設定部３０２と、スカウト画像生成部３０３と、特定スキャン領域設定部３０４と、領域画像生成部３０５と、本スキャン画像生成部３０６と、報知部３０７とを有する。各部は、コンピュータを種々の手段として機能させるプログラムを含む。
【００３４】
制御部３０１は、Ｘ線ＣＴ装置１の各部を制御するために設けられている。制御部３０１は、オペレータにより入力装置４１に入力された指令に基づいて各部を制御する。たとえば、制御部３０１は、スキャン条件設定部３０２により設定されたスキャン条件に対応するように、各部を制御してスキャンを実施する。具体的には、制御部３０１は、被検体搬送部４に制御信号ＣＴＬ３０ｂを出力し、被検体搬送部４に被検体を撮影空間２９へ搬送させて移動させる。そして、制御部３０１は、ガントリコントローラ２８に制御信号ＣＴＬ３０４を出力して、走査ガントリ２の回転部２７を回転させる。そして、制御部３０１は、Ｘ線管２０からＸ線の照射するように、制御信号ＣＴＬ３０１をＸ線コントローラ２５に出力する。そして、制御部３０１は、制御信号ＣＴＬ３０２をコリメータコントローラ２６に出力し、コリメータ２２を制御してＸ線を成形する。また、制御部３０１は、制御信号ＣＴＬ３０３をデータ収集部２４に出力し、Ｘ線検出器２３の検出素子２３ａが得る投影データを収集するように制御する。
【００３５】
スキャン条件設定部３０２は、オペレータにより入力装置４１に入力されたスキャンパラメータに基づいて、スキャンの実施において各部を動作させるスキャン条件を設定する。
【００３６】
スキャン条件設定部３０２は、本スキャンの実施前に実施するスカウトスキャンについてのスカウトスキャン条件を設定する。
【００３７】
また、スキャン条件設定部３０２は、スカウトスキャン実施後に実施する本スキャンについての本スキャン条件を設定する。たとえば、スキャン条件設定部３０２は、ヘリカルスキャン方式にて本スキャンを実施するように、本スキャン条件を設定する。具体的には、スキャン条件設定部３０２は、本スキャン条件として、ヘリカルスキャン方式での本スキャンの実施によって生成する断層画像についてのスライス面に対応するスライス位置を設定する。また、スキャン条件設定部３０２は、スキャン開始位置、スキャン終了位置、スキャンピッチ、Ｘ線ビーム幅、管電流値、スライス厚などに対応するように、各部を動作させるスキャン条件を設定する。
【００３８】
本実施形態においては、スキャン条件設定部３０２は、特定スキャン領域設定部３０４により設定された特定スキャン領域を、被曝線量が小さい特定のスキャン条件でスキャンするように、本スキャン条件を設定する。ここでは、後述するように、特定スキャン領域設定部３０４によって、特定スキャン領域として、ヘリカルスキャン方式での本スキャンの実施の際に被検体の撮影領域において被検体の周囲から被検体へＸ線を照射する照射位置を特定の照射位置に規定させる領域が設定された場合においては、スキャン条件設定部３０２は、その特定スキャン領域設定部３０４により設定された特定スキャン領域に対して、特定の照射位置でＸ線管２０がＸ線を被検体へ照射するように、そのヘリカルスキャン方式での本スキャン条件を設定する。
【００３９】
また、スキャン条件設定部３０２は、入力装置４１により入力された被検体情報に基づいて、本スキャン条件を設定する。詳細については後述するが、ここでは、被検体の周囲において被検体の周囲から特定スキャン領域へＸ線を照射するために回転部２７がＸ線管２０を回転移動する位置を、被検体情報に対応付けて記憶装置６１が記憶しており、スキャン条件設定部３０２は、その回転移動情報を用いて、本スキャン条件を設定する。そして、スキャン条件設定部３０２は、本スキャン条件として、特定スキャン領域に対して特定の照射位置においてＸ線管２０がＸ線を被検体へ照射するように、ヘリカルスキャン方式での本スキャンを開始する開始位置を算出して設定する。たとえば、スキャン条件設定部３０２は、特定スキャン領域に含まれる放射線感受性の高い部位の被曝線量が小さくなるような特定のスキャン条件で、その特定スキャン領域をスキャンするように、本スキャン条件を設定する。
【００４０】
スカウト画像生成部３０３は、スカウトスキャンの実施によってデータ収集部２４が収集した被検体の投影データに基づいて、被検体についての透視像であるスカウト画像を生成する。ここでは、本スキャンの実施にて断層画像を生成するスライス面に対して垂直な面についての透視像を、スカウト画像として生成する。そして、スカウト画像生成部３０３は、その生成したスカウト画像を表示装置５１に出力し、そのスカウト画像を画面に表示させる。
【００４１】
特定スキャン領域設定部３０４は、本スキャン条件に基づいて本スキャンが実施される被検体の撮影領域において、被曝線量が小さい特定のスキャン条件でスキャンを実施させる特定スキャン領域を設定する。ここでは、特定スキャン領域設定部３０４は、オペレータによって入力装置４１に入力された特定スキャン領域の位置に基づいて、特定スキャン領域を設定する。具体的には、表示装置５１により表示されたスカウト画像をオペレータが参照し、そのスカウト画像において特定スキャン領域に対応する画素の位置を、ポインティングデバイスなどの入力装置４１を用いてオペレータが選択する。その後、特定スキャン領域設定部３０４は、そのオペレータによって選択され、入力装置４１により入力されたスカウト画像の画素位置に基づいて、特定スキャン領域を設定する。
【００４２】
本実施形態においては、特定スキャン領域設定部３０４は、ヘリカルスキャン方式での本スキャンの実施の際に、被検体の撮影領域において被検体の周囲から被検体へＸ線を照射する照射位置を特定の照射位置に規定させる領域を、特定スキャン領域として設定する。たとえば、特定スキャン領域設定部３０４は、本スキャンが実施される被検体の撮影領域に含まれる放射線感受性の高い部位が少ない被曝線量になるように、その撮影領域において放射線感受性の高い部位が含まれる領域を、オペレータからの指令に基づいて特定スキャン領域として設定する。
【００４３】
領域画像生成部３０５は、入力装置４１により入力された特定スキャン領域の位置に基づいて、スカウト画像に特定スキャン領域を示す領域画像を生成する。具体的には、上記のように、表示装置５１により表示されたスカウト画像をオペレータが参照して、特定スキャン領域に対応するように入力したスカウト画像の画素の位置に基づいて、スカウト画像上に線状の画像が表示されるように、領域画像を生成する。そして、領域画像生成部３０５は、その生成した領域画像についてのデータを表示装置５１へ出力して、スカウト画像に対応するように位置合わせして表示させる。
【００４４】
本スキャン画像生成部３０６は、本スキャンの実施によってデータ収集部２４が収集した投影データに基づいて、被検体のスライス面についての本スキャン画像を生成する。ここでは、本スキャン画像生成部３０６は、フィルタ処理逆投影法などの画像再構成法によって、本スキャンにて得られた投影データから、被検体のスライス面についての本スキャン画像を再構成して生成する。そして、本スキャン画像生成部３０６は、その生成した本スキャン画像を表示装置５１に出力し、その本スキャン画像を画面に表示させる。
【００４５】
報知部３０７は、入力装置４１により入力された被検体情報に基づいて、被検体の特定スキャン領域の位置情報をオペレータに入力させる旨を報知する。ここでは、報知部３０７は、報知の可否を被検体情報に関連付けて記憶装置６１によって記憶されている報知可否情報を用いて報知の実施を行う。
【００４６】
具体的には、まず、報知部３０７は、被検体の性別、年齢、体位、部位などの被検体情報についてのデータを入力装置４１から受ける。その後、報知部３０７は、記憶装置６１に記憶されている報知可否情報から、その入力装置４１により入力された被検体情報に対応する報知に関する情報を求める。そして、報知部３０７は、その求めた情報が報知可である場合には、報知を実施するように設定し、その旨を表示装置５１の表示画面に表示することで報知を実施する。一方で、その求めた情報が報知不可である場合には、報知を実施しないように設定する。
【００４７】
操作コンソール３の入力装置４１は、たとえば、キーボードやポインディングデバイスなどにより構成されている。入力装置４１は、オペレータの入力操作に基づいて、スキャンパラメータや被検体情報などの各種情報や指令を中央処理装置３０に入力する。たとえば、本スキャン条件を設定する際においては、入力装置４１は、そのスキャンパラメータとして、スキャン開始位置、スキャン終了位置、スキャンピッチ、Ｘ線ビーム幅、管電流値、スライス厚についてのデータをオペレータからの指令に基づいて入力する。
【００４８】
また、本実施形態においては、入力装置４１は、被検体の撮影領域においてオペレータにより選択された特定スキャン領域の位置を入力する。ここでは、入力装置４１は、表示装置５１により表示されたスカウト画像においてオペレータが選択した画素の位置に基づいて、その特定スキャン領域の位置を入力する。
【００４９】
操作コンソール３の表示装置５１は、たとえば、ＣＲＴを含み、中央処理装置３０からの指令に基づき、表示面に画像を表示する。本実施形態においては、表示装置５１は、本スキャンの実施前に実施されたスカウトスキャンによって、スカウト画像生成部３０３が生成した被検体のスカウト画像を、表示面に表示する。そして、表示装置５１は、領域画像生成部３０５により生成された領域画像を、そのスカウト画像に対応するように表示する。
【００５０】
操作コンソール３の記憶装置６１は、メモリにより構成されており、各種データを記憶している。記憶装置６１は、その記憶されたデータが必要に応じて中央処理装置３０によってアクセスされる。
【００５１】
本実施形態においては、記憶装置６１は、本スキャンの実施の際に被検体の周囲において被検体の周囲から特定スキャン領域へＸ線を照射するためにＸ線管２０が回転部２７によって回転移動される位置を、被検体情報に対応付けて、回転移動情報として記憶している。ここでは、記憶装置６１は、被検体の性別，体位，年齢，部位などの被検体情報に、その回転移動位置を対応付けた回転移動情報を、ルックアップテーブルとして記憶している。そして、上述したように、スキャン条件設定部３０２が被検体情報についてのデータを入力装置４１から受けた際には、記憶装置６１は、スキャン条件設定部３０２によってアクセスされ、その入力装置４１からの被検体情報に対応する回転移動位置についてのデータが、ルックアップテーブルとして記憶している回転移動情報から抽出される。そして、その抽出された回転移動位置に対応するように、スキャン条件設定部３０２によって本スキャン条件が設定される。
【００５２】
また、記憶装置６１は、被検体の特定スキャン領域の位置情報をオペレータに入力させる旨についての報知の可否を、被検体情報に関連付けて、報知可否情報として記憶している。ここでは、記憶装置６１は、被検体の性別，体位，年齢，部位などの被検体情報に、その報知の可否を対応付けた報知可否情報を、ルックアップテーブルとして記憶している。そして、上述したように、報知部３０７が被検体の性別，体位，年齢，部位などの被検体情報についてのデータを入力装置４１から受けた際には、記憶装置６１は、報知部３０７によってアクセスされ、その入力装置４１からの被検体情報に対応する報知可否についてのデータが、ルックアップテーブルとして記憶している報知可否情報から抽出される。そして、その抽出された情報に対応するように、報知部３０７が、オペレータへの報知について設定する。
【００５３】
被検体搬送部４について説明する。
【００５４】
被検体搬送部４は、撮影空間２９の内部と外部との間で被検体を搬送する。
【００５５】
図４は、被検体搬送部４の構成を示す斜視図である。
【００５６】
図４に示すように、被検体搬送部４は、テーブル部４０１と、テーブル移動部４０２とを有する。
【００５７】
被検体搬送部４のテーブル部４０１は、被検体が載置される載置面が形成されており、その載置面で被検体を支持する。たとえば、被検体は、仰向けになるようにテーブルに寝かされて、被検体搬送部４のテーブル部４０１に支持される。
【００５８】
被検体搬送部４のテーブル移動部４０２は、被検体の体軸方向ｚに沿った水平方向Ｈにテーブル部４０１を移動させる水平移動部４０２ａと、水平方向Ｈに対して垂直な鉛直方向Ｖにテーブル部４０１を移動させる垂直移動部４０２ｂとを有し、中央処理装置３０からの制御信号ＣＴＬ３０ｂに基づいて、撮影空間２９の内部に被検体を搬入するように、テーブル部４０１を移動させる。
【００５９】
本実施形態のＸ線ＣＴ装置１の動作について説明する。
【００６０】
図５は、本実施形態のＸ線ＣＴ装置１において、被検体について本スキャンを実施する動作を示すフロー図である。
【００６１】
まず、図５に示すように、スカウト画像の表示を実施する（Ｓ１１）。
【００６２】
ここでは、オペレータにより入力装置４１に入力された指令に基づいて、スカウトスキャンを実施するためのスカウトスキャン条件をスキャン条件設定部３０２が設定する。そして、スキャン条件設定部３０２によって設定されたスカウトスキャン条件に基づいて、制御部３０１が各部を制御することにより、被検体についてのスカウトスキャンを実施する。その後、スカウトスキャンの実施によってデータ収集部２４が収集した被検体の投影データに基づいて、被検体の透視像であるスカウト画像を、スカウト画像生成部３０３が生成する。そして、そのスカウト画像生成部３０３により生成されたスカウト画像を、表示装置５１が画面に表示する。
【００６３】
つぎに、図５に示すように、スキャンパラメータの入力を実施する（Ｓ２１）。
【００６４】
ここでは、スカウトスキャンにより生成されたスカウト画像をオペレータが参照し、本スキャンを実施するためのスキャンパラメータを入力する。そして、そのオペレータの入力操作に基づいて、入力装置４１がスキャンパラメータを中央処理装置３０に入力する。たとえば、そのスキャンパラメータとして、スキャン開始位置、スキャン終了位置、スキャンピッチ、Ｘ線ビーム幅、管電流値、スライス厚についてのデータをオペレータからの指令に基づいて入力する。
【００６５】
つぎに、図５に示すように、被検体情報の入力を実施する（Ｓ３１）。
【００６６】
ここでは、本スキャンを実施する被検体の性別，体位，年齢，部位などの被検体情報をオペレータが入力装置４１へ入力する。そして、そのオペレータの入力操作に基づいて、入力装置４１が被検体情報についてのデータを中央処理装置３０に入力する。
【００６７】
つぎに、図５に示すように、オペレータへの報知の設定を実施する（Ｓ４１）。
【００６８】
ここでは、被検体の特定スキャン領域の位置情報をオペレータに入力させる旨を報知する設定を、入力装置４１により入力された被検体情報に基づいて、報知部３０７が実施する。本実施形態においては、その報知の可否を被検体情報に関連付けるようにして記憶装置６１が記憶している報知可否情報を用いて、報知部３０７が設定する。
【００６９】
具体的には、まず、被検体の性別、年齢、部位などの被検体情報についてのデータを報知部３０７が入力装置４１から受ける。その後、記憶装置６１に記憶されている報知可否情報から、その入力装置４１により入力された被検体情報に対応する報知に関する情報を、報知部３０７が求める。そして、報知部３０７は、その求めた情報が報知可である場合には、報知を実施するように設定する。一方で、その求めた情報が報知不可である場合には、報知を実施しないように設定する。
【００７０】
図６は、記憶装置６１において記憶されている報知可否情報を示す図である。
【００７１】
図６に示すように、記憶装置６１は、被検体の性別，年齢，部位などの被検体情報に、その報知の可否を対応付けた報知可否情報を、ルックアップテーブルとして記憶している。ここでは、放射線感受性が高い部位を含む場合に報知を実施するように、報知の可否を記憶している。
【００７２】
このため、たとえば、被検体の部位が胸部であり、被検体の性別が女性であり、被検体の年齢が２０歳である旨のデータを被検体情報として受けた場合には、報知部３０７は、図６に示すように、記憶装置６１により記憶されている報知可否情報から報知が必要である旨を抽出する。一方で、上述の被検体情報において被検体の性別が男性である旨のデータを被検体情報として受けた場合には、報知部３０７は、図６に示すように、記憶装置６１により記憶されている報知可否情報から報知が不要である旨を抽出する。
【００７３】
つぎに、図５に示すように、報知部３０７による報知の設定に対応するように、オペレータへの報知（Ｓ５１）または本スキャン条件の設定（Ｓ８１）のいずれかを実施する。
【００７４】
オペレータへの報知（Ｓ５１）を実施する場合においては、特定スキャン領域についての位置を入力する旨を、報知部３０７が表示装置５１の表示画面に表示することで報知を実施する。
【００７５】
その後、図５に示すように、特定スキャン領域の設定を実施する（Ｓ６１）。
【００７６】
ここでは、本スキャン条件に基づいて本スキャンが実施される被検体の撮影領域において、他の領域よりも被曝線量が小さい特定のスキャン条件でスキャンを実施させる特定スキャン領域を、オペレータによって入力装置４１に入力された特定スキャン領域の位置に基づいて、特定スキャン領域設定部３０４が設定する。
【００７７】
本実施形態においては、ヘリカルスキャン方式での本スキャンの実施の際に、被検体の撮影領域において、被検体の周囲から被検体へＸ線管２０がＸ線を照射する照射位置を特定の照射位置に規定させる領域を、特定スキャン領域設定部３０４が特定スキャン領域として設定する。
【００７８】
図７は、特定スキャン領域設定部３０４によって設定された特定スキャン領域を示す図である。
【００７９】
特定スキャン領域を設定する際においては、表示装置５１により表示されたスカウト画像ＳＣをオペレータが参照し、そのスカウト画像ＳＣにおいて特定スキャン領域ＳＦに対応する画素の位置を、ポインティングデバイスなどの入力装置４１を用いてオペレータが選択する。たとえば、スカウト画像ＳＣにおいて、放射線感受性が高い乳腺を含む被検体の胸部に該当する領域の位置を、特定スキャン領域ＳＦの位置情報として、オペレータが選択する。これにより、図７に示すように、表示装置５１に表示されているスカウト画像ＳＣの上に特定スキャン領域を示す領域画像ＦＩを領域画像生成部３０５が生成し、その生成された領域画像ＦＩが表示装置５１においてスカウト画像ＳＣの上に重ねられて表示される。その後、そのスカウト画像ＳＣの上の領域画像ＦＩをオペレータが参照し、必要ならば、特定スキャン領域ＳＦの位置を、入力装置４１を用いて変更して調整する。このようにして、特定スキャン領域ＳＦの位置を特定スキャン領域設定部３０４が設定する。
【００８０】
つぎに、図５に示すように、本スキャン条件の設定を実施する（Ｓ７１）。
【００８１】
ここでは、オペレータにより入力装置４１に入力されたスキャンパラメータに基づいて、スキャンの実施において各部を動作させるスキャン条件を、スキャン条件設定部３０２が設定する。
【００８２】
本実施形態においては、ヘリカルスキャン方式にて本スキャンを実施するように、スキャン条件設定部３０２が本スキャン条件を設定する。具体的には、ヘリカルスキャン方式での本スキャンの実施によって生成する断層画像についてのスライス面に対応するスライス位置を、スキャン条件設定部３０２が本スキャン条件として設定する。その他に、スキャン開始位置、スキャン終了位置、スキャンピッチ、Ｘ線ビーム幅、管電流値、スライス厚などに対応するように各部を動作させるスキャン条件を、スキャン条件設定部３０２が設定する。
【００８３】
また、上記のように、特定スキャン領域設定部３０４により特定スキャン領域が設定された場合（Ｓ６１）には、その特定スキャン領域を特定のスキャン条件でスキャンするように、スキャン条件設定部３０２が本スキャン条件を設定する。
【００８４】
本実施形態においては、その特定スキャン領域に対して、Ｘ線管２０が特定の照射位置でＸ線を被検体へ照射するように、スキャン条件設定部３０２が本スキャン条件を設定する。ここでは、入力装置４１により入力された被検体情報と、記憶装置６１により記憶されている回転移動情報とに基づいて、被検体の周囲において特定スキャン領域に対してＸ線管２０がＸ線を被検体へ照射する照射位置を、スキャン条件設定部３０２が本スキャン条件として設定する。そして、その設定した照射位置についてのデータに対応するように、スキャン条件設定部３０２が本スキャン条件を調整し設定する。
【００８５】
図８は、記憶装置６１において記憶されている回転移動情報を示す図である。
【００８６】
図８に示すように、記憶装置６１は、被検体の性別，体位，年齢，部位などの被検体情報に対応付けるように、被検体の周囲において回転部２７がＸ線管２０を回転移動する回転移動位置を、ビュー角度ｖ（°）として記憶している。ここでは、被検体の部位と、Ｘ線管２０との距離が被検体の周囲において大きくなるようなビュー角度ｖ（°）を記憶している。なお、ビュー角度ｖ（°）は、図１に示すように、鉛直方向ｙを０°として、Ｘ線管２０が被検体の周囲を回転移動された角度をいう。
【００８７】
図８に示すように、たとえば、被検体において特定スキャン領域に対応する部位が胸部であり、被検体の性別が女性であり、被検体の年齢が２０歳であり、被検体の体位が仰臥位である旨のデータを、スキャン条件設定部３０２が被検体情報として受けた場合には、スキャン条件設定部３０２は、被検体の周囲において特定スキャン領域の中心へＸ線管２０がＸ線を照射する照射位置が、ビュー角度１８０°である旨のデータを、記憶装置６１により記憶されている回転移動情報から抽出する。そして、その抽出した照射位置についてのデータに対応するように、スキャン条件設定部３０２が本スキャン条件を調整し設定する。そして、その特定スキャン領域に対してＸ線管２０がＸ線を照射する照射位置に対応するように、ヘリカルスキャン方式での本スキャンを開始する開始位置を算出する。たとえば、以下の数式（１）に基づいて、ヘリカルスキャン方式での本スキャンを開始する開始位置を算出する。なお、数式（１）において、Ｈｓは、本スキャン開始時に、被検体の体軸方向ｚにおいてＸ線管２１がＸ線の照射を開始するスキャン開始位置であり、Ｓｓは、被検体の体軸方向ｚに並ぶ複数のスライス位置において、本スキャンを開始する側の端部に位置する開始スライス位置である。また、ＢＷは、本スキャンの実施の際に、回転部２７によって被検体の周囲を回転するＸ線管２１から放射されるＸ線において、そのＸ線管２１が回転する回転中心にて列方向へ放射状に広がるＸ線のビーム幅を示す。また、Ｐは、本スキャンが実施される際のヘリカルピッチを示し、Ｋは、そのヘリカルピッチなどによって定まる定数である。
【００８８】
Ｈｓ＝Ｓｓ−ＢＷ・Ｐ・Ｋ      ・・・（１）
【００８９】
その後、このスキャン開始位置Ｈｓに対応するように本スキャン条件をスキャン条件設定部３０２が調整し設定する。つまり、被検体の乳腺のように放射線感受性が高い部位を含む特定スキャン領域をスキャンする際には、その放射線感受性が高い部位とＸ線管２０との距離が最も大きくなるビュー角度で特定スキャン領域をスキャンするように、回転部２７が被検体の周囲を回転移動させるＸ線管２０の軌跡を調整し、本スキャン条件を設定する。そして、このようにして設定した本スキャン条件についてのデータをスキャン条件設定部３０２が制御部３０１に出力し、制御部３０１に各部を制御させる。
【００９０】
つぎに、図５に示すように、本スキャンの実施を行う（Ｓ８１）。
【００９１】
ここでは、上記のようにしてスキャン条件設定部３０２によって設定された本スキャン条件に基づいて、制御部３０１が各部を制御することにより、被検体についての本スキャンを実施する。本実施形態においては、ヘリカルスキャン方式にて本スキャンを実施する。
【００９２】
図９は、本スキャンの実施の様子を示す側面図であり、図９において、Ｔは、被検体に対してＸ線管２０が相対的に移動する軌跡を示している。
【００９３】
図９に示すように、特定スキャン領域として設定した女性の被検体の胸部については、被検体の周囲においてＸ線管２０がＸ線を照射する照射位置が特定スキャン領域の中心でビュー角度１８０°になるように、ヘリカルスキャン方式での本スキャンを実施する。つまり、特定スキャン領域の中心において女性の被検体の背面側からＸ線管２０がＸ線を照射しＸ線検出器２３が被検体の正面側でＸ線を検出するように、回転部２７がＸ線管２０とＸ線検出器２３とを被検体の周囲において回転させながら、被検体搬送部４が被検体を水平方向へ移動することによって、被検体を螺旋状にスキャンする。
【００９４】
つぎに、図５に示すように、本スキャン画像の表示を実施する（Ｓ８１）。
【００９５】
ここでは、本スキャンの実施によってデータ収集部２４が収集した被検体の投影データに基づいて、被検体の断層面についての断層画像を、本スキャン画像生成部３０６が生成する。具体的には、フィルタ処理逆投影法などの画像再構成法によって、本スキャンにて得られた投影データから被検体の断層面についての画像を再構成して生成する。そして、本スキャンの実施により本スキャン画像生成部３０６が生成した被検体の本スキャン画像を表示装置５１が表示面に表示する。
【００９６】
以上のように、本実施形態においては、ヘリカルスキャン方式での本スキャンが実施される被検体の撮影領域において、被曝線量が小さい特定のスキャン条件でスキャンを実施させる特定スキャン領域を特定スキャン領域設定部３０４が設定する。そして、その特定スキャン領域設定部３０４により設定された特定スキャン領域を、その特定のスキャン条件でスキャンするように、スキャン条件設定部３０２が本スキャン条件を設定する。ここでは、特定スキャン領域設定部３０４は、この特定スキャン領域として、ヘリカルスキャン方式での本スキャンの実施の際に、被検体の撮影領域において、被検体の周囲からＸ線管２０が被検体へＸ線を照射する照射位置を特定の照射位置に規定させる領域を設定する。そして、スキャン条件設定部３０２は、この特定スキャン領域設定部３０４により設定された特定スキャン領域に対して、その特定の照射位置でＸ線管２０がＸ線を被検体へ照射するように、そのヘリカルスキャン方式での本スキャン条件を、入力装置４１により入力された被検体情報に基づいて設定する。
【００９７】
たとえば、女性の被検体の胸部を含む撮影領域について、ヘリカルスキャン方式で本スキャンを実施する場合には、被検体の体表面において放射線感受性が高い乳腺に対応する部位を含むように、特定スキャン領域を設定する。そして、その乳腺を含む特定スキャン領域をスキャンする際には、被検体の乳腺がある正面側に対して反対側になる背面側からＸ線管２０がＸ線を照射するように、本スキャン条件を設定して実施する。このように、女性の被検体の胸部を含む撮影領域についてヘリカルスキャン方式で本スキャンを実施する場合においても、放射線感受性が高い被検体の乳腺とＸ線管２０との距離が最も大きくなるビュー角度で、その乳腺を含む特定スキャン領域をスキャンするように、本スキャンを実施する。このため、本実施形態は、Ｘ線を遮るシールド材を被検体の胸部に配置せずに、被曝線量を低減できるため、シールド材による画像品質の低下を防止できると共に、放射線を効率的に利用することができる。
【００９８】
また、本実施形態においては、被検体の撮影領域についてのスカウト画像を表示装置５１が表示する。また、被検体の撮影領域においてオペレータにより選択された特定スキャン領域の位置を入力装置４１が入力する。ここでは、入力装置４１は、表示装置５１により表示されたスカウト画像においてオペレータが選択した画素の位置に基づいて、特定スキャン領域の位置を入力する。そして、入力装置４１により入力された特定スキャン領域の位置に基づいて、スカウト画像に特定スキャン領域を示す領域画像を領域画像生成部３０５が生成する。そして、その領域画像生成部３０５により生成された領域画像を、表示装置５１がスカウト画像に対応するように表示する。その後、入力装置４１により入力される特定スキャン領域の位置に基づいて、特定スキャン領域設定部３０４が特定スキャン領域を設定する。このため、本実施形態は、オペレータが特定スキャン領域の位置を容易に選択でき、効率的に撮影操作を実施することができるため、放射線を効率的に利用することができる。
【００９９】
また、本実施形態においては、入力装置４１により入力された被検体情報に基づいて、特定スキャン領域の位置を選択し入力装置４１に入力する旨を、オペレータに報知部３０７が報知する。このため、本実施形態は、特定スキャン領域の設定を容易に実施することができるため、放射線を効率的に利用することができる。
【０１００】
＜実施形態２＞
以下より、本発明にかかる実施形態２について説明する。
【０１０１】
本実施形態は、スキャン条件設定部３０２と、特定スキャン領域設定部３０４と、記憶装置６１とが、実施形態１と異なる。この点を除き、実施形態１と同様である。このため、重複する個所については、説明を省略する。
【０１０２】
スキャン条件設定部３０２は、特定スキャン領域設定部３０４により設定された特定スキャン領域に対して、Ｘ線管２０が特定のＸ線量でＸ線を照射するように、本スキャン条件を設定する。
【０１０３】
特定スキャン領域設定部３０４は、本スキャンの実施の際に、被検体の撮影領域においてＸ線管２０が特定のＸ線量で被検体へＸ線を照射する領域を、特定スキャン領域として、設定する。
【０１０４】
記憶装置６１は、特定スキャン領域へＸ線管２０がＸ線を照射する際にＸ線管２０へ供給する管電流値を、被検体情報に対応付けて記憶装置６１が管電流情報として記憶している。
【０１０５】
本実施形態のＸ線ＣＴ装置１の動作について説明する。
【０１０６】
本実施形態においては、実施形態１と同様な手順によって特定スキャン領域の設定を実施した後、本スキャン条件の設定を実施する。
【０１０７】
ここでは、実施形態１と同様に、入力装置４１により入力された被検体情報に基づいて、スキャン条件設定部３０２が本スキャン条件を設定する。本実施形態においては、スキャン条件設定部３０２は、上記のように記憶装置６１により記憶されている管電流情報に基づいて、特定スキャン領域へＸ線管２０がＸ線を照射する際にＸ線管２０へ供給する管電流値を設定する。
【０１０８】
図１０は、特定スキャン領域へＸ線管２０がＸ線を照射する際にＸ線管２０へ供給する管電流値を示す図である。図１０においては、被検体にて特定スキャン領域に対応する部位が胸部であり、被検体の性別が女性であり、被検体の年齢が２０歳であり、被検体の体位が仰臥位である場合に、スキャン条件設定部３０２が設定する管電流値Ｉ（Ａ）を、ビュー角度ｖ（°）に対応させて示している。
【０１０９】
図１０に示すように、上記の被検体情報を受けた場合には、スキャン条件設定部３０２は、記憶装置６１により記憶されている管電流情報に基づいて、ビュー角度ｖが０°の際には、小さな第１管電流値Ｉ１を供給し、ビュー角度ｖが９０〜２７０°までの間においては、第１管電流値Ｉ１よりも大きな第２管電流値Ｉ２を供給して、特定スキャン領域でのスキャンを実施するように、本スキャン条件を設定する。つまり、被検体の乳腺がＸ線管２０から近い距離にある被検体の正面側のビュー角度（０°）においてＸ線管２０がＸ線を照射する場合には、小さな第１管電流値Ｉ１の電流をＸ線管２０へ供給するように、本スキャン条件を設定する。一方で、被検体の正面側よりも被検体の乳腺がＸ線管２０から遠い距離にある被検体の背面側のビュー角度（１８０°）においてＸ線管２０がＸ線を照射する場合には、第１管電流値Ｉ１よりも大きな第２管電流値Ｉ２の電流をＸ線管２０へ供給するように、本スキャン条件を設定する。
【０１１０】
そして、実施形態１と同様に、上記のようにして設定した本スキャン条件に基づいて、本スキャンを実施する。その後、その本スキャンの実施により得られた被検体の投影データに基づいて、被検体のスライス面についての断層画像を本スキャン画像として生成し、表示する。
【０１１１】
以上のように、本実施形態においては、本スキャンの実施の際に、被検体の撮影領域において、他の領域よりも小さい特定のＸ線量で被検体へＸ線を照射してスキャンを実施する領域を、特定スキャン領域設定部３０４が、特定スキャン領域として設定する。そして、その特定スキャン領域設定部３０４により設定された特定スキャン領域に対して特定のＸ線量でＸ線を照射するように、スキャン条件設定部３０２が本スキャン条件を設定する。ここでは、上記のように、たとえば、被検体において放射線感受性の高い乳腺がＸ線管２０から近い距離にあるビュー角度（０°）においては、小さな第１管電流値Ｉ１の電流をＸ線管２０へ供給し、被検体の乳腺がＸ線管２０から遠い距離にあるビュー角度（１８０°）においては、大きな第２管電流値Ｉ２の電流をＸ線管２０へ供給するように、本スキャン条件を設定する。つまり、特定スキャン領域については、スキャンの際のＸ線量をビュー角度に応じて調整している。このため、本実施形態は、実施形態１と同様に、画像品質の低下を防止できると共に、放射線を効率的に利用することができる。
【０１１２】
なお、上記の実施形態において、Ｘ線ＣＴ装置１は、本発明の放射線撮影装置に相当する。また、上記の実施形態において、操作コンソール３は、本発明のスキャン条件設定装置に相当する。また、上記の実施形態において、スキャン条件設定部３０２は、本発明の本スキャン条件設定部に相当する。また、上記の実施形態において、特定スキャン領域設定部３０４は、本発明の特定スキャン領域設定部に相当する。また、上記の実施形態において、領域画像生成部３０５は、本発明の領域画像生成部に相当する。また、上記の実施形態において、報知部３０７は、本発明の報知部に相当する。また、上記の実施形態において、入力装置４１は、本発明の領域位置入力部、被検体情報入力部に相当する。また、上記の実施形態において、表示装置５１は、本発明の表示部に相当する。
【０１１３】
また、本発明の実施に際しては、上記した実施の形態に限定されるものではなく、種々の変形形態を採用することができる。
【０１１４】
たとえば、上記の実施形態においては、放射線としてＸ線を用いている例について説明しているが、これに限定されない。たとえば、たとえば、ガンマ線等の放射線を用いても良い。
【０１１５】
また、上記の実施形態においては、ヘリカルスキャン方式にて本スキャンを実施する場合について示したが、アキシャルスキャン方式にて本スキャンを実施する場合においても、適用しても良い。
【図面の簡単な説明】
【０１１６】
【図１】図１は、本発明にかかる実施形態１において、Ｘ線ＣＴ装置１の全体構成を示すブロック図である。
【図２】図２は、本発明にかかる実施形態１において、Ｘ線ＣＴ装置１の要部を示す構成図である。
【図３】図３は、本発明にかかる実施形態１において、中央処理装置３０の構成を示すブロック図である。
【図４】図４は、本発明にかかる実施形態１において、被検体搬送部の構成を示す斜視図である。
【図５】図５は、本発明にかかる実施形態１のＸ線ＣＴ装置１において、被検体について本スキャンを実施する動作を示すフロー図である。
【図６】図６は、本発明にかかる実施形態１において、記憶装置６１により記憶されている報知可否情報を示す図である。
【図７】図７は、本発明にかかる実施形態１において、特定スキャン領域設定部３０４によって設定された特定スキャン領域を示す図である。
【図８】図８は、本発明にかかる実施形態１において、記憶装置６１により記憶されている回転移動情報を示す図である。
【図９】図９は、本発明にかかる実施形態１において、本スキャンの実施の様子を示す側面図であり、
【図１０】図１０は、本発明にかかる実施形態２において、特定スキャン領域へＸ線管２０がＸ線を照射する際にＸ線管２０へ供給する管電流値を示す図である。
【符号の説明】
【０１１７】
１…Ｘ線ＣＴ装置（放射線撮影装置）、
２…走査ガントリ、
３…操作コンソール（スキャン条件設定装置）、
４…被検体搬送部、
２０…Ｘ線管、
２１…Ｘ線管移動部、
２２…コリメータ、
２３…Ｘ線検出器、
２３ａ…検出素子、
２４…データ収集部、
２４１…選択・加算切換回路、
２４２…アナログ−デジタル変換器、
２５…Ｘ線コントローラ、
２６…コリメータコントローラ、
２７…回転部、
２８…ガントリコントローラ、
２９…撮影空間、
３０…中央処理装置、
４１…入力装置（領域位置入力部、被検体情報入力部）、
５１…表示装置（表示部）、
６１…記憶装置、
３０１…制御部、
３０２…スキャン条件設定部（本スキャン条件設定部）
３０３…スカウト画像生成部、
３０４…特定スキャン領域設定部（特定スキャン領域設定部）、
３０５…領域画像生成部（領域画像生成部）、
３０６…本スキャン画像生成部、
３０７…報知部（報知部）、
４０１…テーブル部、
４０２…テーブル移動部
【図１】
0004629519.tif 000002
【図２】
0004629519.tif 000003
【図３】
0004629519.tif 000004
【図４】
0004629519.tif 000005
【図５】
0004629519.tif 000006
【図６】
0004629519.tif 000007
【図７】
0004629519.tif 000008
【図８】
0004629519.tif 000009
【図９】
0004629519.tif 000010
【図１０】
0004629519.tif 000011